(57)【要約】【課題】  発熱部品を有するユニットからの放熱性を確保したままで、ユニットのコネクタプラグないしは筐体のコネクタレセプタクルのいずれのコネクタにもストレスが加わることの無い接続信頼性の高いプラグインユニットを提供する。【解決手段】  筐体１のバックパネル３ａに浮動自在のフローティングプレート４ａに固定されたコネクタレセプタクル６を設け、ユニット１２−３に押圧保持部材（例えば二方向押圧保持部材２１）とコネクタプラグを設けて、筐体１の側面内壁にユニット１２−３の側外面を圧接するようにした。【選択図】  図８
2007173653.tif 000002
【特許請求の範囲】
【請求項１】
発熱部品を有し、背外面にコネクタプラグと位置決めピンが装着されたユニットと、
前記背外面に隣接する第１の側外面に固定され、ねじを締め込むことで幅が一方向に拡張する第１の押圧保持部材と、
前記ユニットがプラグイン式に実装され、前面が開口し、前記前面に隣接する側面内壁と、裏面側に設けられたバックパネルと、を備える筐体と、
前記バックパネルの内面側に浮動自在に装着され、コネクタレセプタクルが固定され、かつ、前記位置決めピンを挿入して前記コネクタプラグと前記コネクタレセプタクルの接続を位置決めするための位置決め穴を有する、フローティングプレートと、
からなる、プラグインユニットであって、
前記第１の押圧保持部材が拡張して、前記第１の側外面と対向する前記側面内壁を押圧し、前記第１の側外面と反対側の第２の側外面が対向する前記側面内壁と圧接することを特徴とするプラグインユニット。
【請求項２】
発熱部品を有するユニットと、
前記ユニットの背外面に隣接する第１の側外面に固定され、ねじを締め込むことで幅が一方向に拡張する第１の押圧保持部材と、
前記ユニットがプラグイン式に実装され、前面が開口し、前記前面に隣接する側面内壁と、裏面側に設けられ、コネクタレセプタクルと位置決めピンが装着されたバックパネルと、を備える筐体と、
前記背外面に浮動自在に装着され、コネクタプラグが固定され、かつ、前記位置決めピンを挿入して前記コネクタレセプタクルと前記コネクタプラグとの接続を位置決めするための位置決め穴を有する、フローティングプレートと、
からなる、プラグインユニットであって、
前記第１の押圧保持部材が拡張して、前記第１の側外面と対向する前記側面内壁を押圧し、前記第１の側外面と反対側の第２の側外面が対向する前記側面内壁と圧接することを特徴とするプラグインユニット。
【請求項３】
第１の側外面に隣接するユニットの第３の側外面に固定された第２の押圧保持部材を更に備え、
前記第２の押圧保持部材が拡張して、第３の側外面と対向する側面内壁を押圧し、前記第３の側外面と反対側の前記ユニットの第４の側外面が対向する前記側面内壁と圧接することを特徴とする請求項１または請求項２のいずれかに記載のプラグインユニット。
【請求項４】
発熱部品を有し、背外面にコネクタプラグと位置決めピンが装着されたユニットと、
前記背外面に隣接する側外面が互いに隣接する４つの隣接位置の内、いずれか１つである、第１のユニット隣接位置に固定され、ねじを締め込むことで幅が二方向に拡張する二方向押圧保持部材と、
前記ユニットがプラグイン式に実装され、前面が開口し、前記前面に隣接する側面内壁と、裏面側に設けられたバックパネルと、を備える筐体と、
前記バックパネルの内面に浮動自在に装着され、コネクタレセプタクルが固定され、かつ、前記位置決めピンを挿入して前記コネクタプラグと前記コネクタレセプタクルの接続を位置決めするための位置決め穴を有する、フローティングプレートと、
からなる、プラグインユニットであって、
前記二方向押圧保持部材が拡張して、前記第１のユニット隣接位置に接する２つの側外面のそれぞれが対向する前記側面内壁を押圧し、前記第１のユニット隣接位置と反対側の第２のユニット隣接位置と隣接する２つの側外面のそれぞれが対向する前記側面内壁と圧接することを特徴とするプラグインユニット。
【請求項５】
発熱部品を有するユニットと、
前記ユニットの背外面に接する側外面が互いに隣接する４つの隣接位置の内、いずれか１つである、第１のユニット隣接位置に固定され、ねじを締め込むことで幅が二方向に拡張する二方向押圧保持部材と、
前記ユニットがプラグイン式に実装され、前面が開口し、前記前面に接する側面内壁と、裏面側に設けられ、コネクタレセプタクルと位置決めピンが装着されたバックパネルと、を備える筐体と、
前記背外面に浮動自在に装着され、コネクタプラグが固定され、かつ、前記位置決めピンを挿入して前記コネクタレセプタクルと前記コネクタプラグとの接続を位置決めするための位置決め穴を有する、フローティングプレートと、
からなる、プラグインユニットであって、
前記二方向押圧保持部材が拡張して、前記第１のユニット隣接位置に隣接する２つの側外面のそれぞれが対向する前記側面内壁を押圧し、前記第１のユニット隣接位置と反対側の第２のユニット隣接位置と隣接する２つの側外面のそれぞれが対向する前記側面内壁と圧接することを特徴とするプラグインユニット。
【請求項６】
二方向押圧保持部材は、
前面側くさびと本体部と後面側くさびとから構成され、
ユニットの前面から背面に向かう方向に垂直な第１の方向の拡張については、前記前面側くさびと前記本体部により形成される拡張幅が前記後面側くさびと前記本体部により形成される拡張幅よりも大きく、
ユニットの前面から背面に向かう方向に垂直で、前記第１の方向と直交する第２の方向の拡張については、前記前面側くさびと前記本体部により形成される拡張幅が前記後面側くさびと前記本体部により形成される拡張幅よりも小さいことを特徴とする請求項４又は請求項５のいずれかに記載のプラグインユニット。
【発明の詳細な説明】
【技術分野】
【０００１】
この発明は、アレイアンテナや電子機器の筐体内部に複数個のユニットがプラグイン式に実装されるプラグインユニットに関する。
【背景技術】
【０００２】
従来のプラグインユニットにおいては、発熱部品を有するユニットからの熱を効率良く放熱するために、筐体にＶ字案内溝を設けて熱伝導面の接触面積を増やしたり、ユニットの放熱板をそのＶ字案内溝にねじで締結してその接触圧力を大きくするようにしていた（例えば、特許文献１参照）。
【０００３】
【特許文献１】実開平５−３８９８６号公報（第４〜５頁、第１図）
【発明の開示】
【発明が解決しようとする課題】
【０００４】
上記のように、特許文献１に記載の従来のプラグインユニットは、ユニットの放熱板をＶ字案内溝にねじで締結するようにしていたので、熱接触を確保するためにねじを強固に締めると、ユニットのコネクタプラグや筐体のコネクタレセプタクルにストレスが加わり、両コネクタの接続部位を劣化させ、接続信頼性を低下させるという問題があった。
【０００５】
この発明は、上記のような課題を解決するために為されたもので、発熱部品を有するユニットからの放熱性を確保したままで、ユニットのコネクタプラグないしは筐体のコネクタレセプタクルのいずれのコネクタにもストレスが加わることの無い接続信頼性の高いプラグインユニットを提供することを目的とする。
【課題を解決するための手段】
【０００６】
この発明に係るプラグインユニットは、発熱部品を有し、背外面にコネクタプラグと位置決めピンが装着されたユニットと、前記背外面に隣接する第１の側外面に固定され、ねじを締め込むことで幅が一方向に拡張する第１の押圧保持部材と、前記ユニットがプラグイン式に実装され、前面が開口し、前記前面に隣接する側面内壁と、裏面側に設けられたバックパネルと、を備える筐体と、前記バックパネルの内面側に浮動自在に装着され、コネクタレセプタクルが固定され、かつ、前記位置決めピンを挿入して前記コネクタプラグと前記コネクタレセプタクルの接続を位置決めするための位置決め穴を有する、フローティングプレートと、から構成するようにし、前記第１の押圧保持部材が拡張して、前記第１の側外面と対向する前記側面内壁を押圧し、前記第１の側外面と反対側の第２の側外面が対向する前記側面内壁と圧接するようにした。
【発明の効果】
【０００７】
この発明によれば、筐体のバックパネルに浮動自在のフローティングプレートに固定されたコネクタレセプタクルを設け、ユニットに第１の押圧保持部材とコネクタプラグを設けて、筐体の側面内壁にユニットの側外面を圧接するようにしたので、ユニットから筐体への熱伝導による放熱性を確保したままで、コネクタプラグないしはコネクタレセプタクルのいずれにもストレスが加わることの無い接続信頼性の高いプラグインユニットを実現できるという効果がある。
【発明を実施するための最良の形態】
【０００８】
以下、この発明に係るプラグインユニットの各種実施の形態について、図面に基づいて説明する。
【０００９】
実施の形態１．
図１は、この発明に係るプラグインユニットの実施の形態１の筐体の概略構成図で、図１（ａ）は前方から見た図、図１（ｂ）は側方から見た部分断面図、図１（ｃ）はフローティングプレートを構成するフローティング機構を説明するための図１（ａ）に記載のＡ−Ａ線における断面構成図である。
【００１０】
まず、図１（ａ）と図１（ｂ）において、電子機器等の筐体１は、前面が開口し、その前面に隣接する側面内壁、つまり、右面内壁２−１と左面内壁２−２と上面内壁２−３と底面内壁２−４の４面と、裏面側にバックパネル３ａを備える構造となっている。このバックパネル３ａの内面側には、フローティングプレート４ａが浮動自在に装着されている。さらに、バックパネル３ａには角穴５が形成されており、フローティングプレート４ａには、その角穴５の位置に適合してコネクタレセプタクル６が固定されるとともに、２つの位置決め穴７が設けられている。
【００１１】
次に、図１（ｃ）を用いて、フローティングプレート４ａのフローティング機構について説明する。
【００１２】
バックパネル３ａには通し穴８が開けられており、フローティングプレート４ａは、バックパネル３ａから浮かして支持するためのその通し穴８の径よりも一回り小さい径のボス部９と、そのボス部９の先にネジ部１０を有している。このボス部９とネジ部１０には位置決め穴７が貫通されている。フローティングプレート４ａのボス部９をバックパネル３ａの通し穴８に嵌め込んで、ボス部９の先のネジ部１０にナット１１を取り付けることで、フローティングプレート４ａは、バックパネル３ａに浮動自在に装着されることとなる。
【００１３】
図２は、この発明に係るプラグインユニットの実施の形態１の一例であるユニットの概略構成図である。
【００１４】
発熱部品を内部に有するユニット１２−１の４つの側外面、すなわち、側外面１３−１、側外面１３−２、側外面１３−３、側外面１３−４の内の１つの側外面１３−１には、幅が一方向に拡張する第１の押圧保持部材である一方向押圧保持部材１４−１が固定されている。また、ユニット１２−１の背外面には、コネクタプラグ１５と２本の位置決めピン１６が装着されている。
【００１５】
図３は、この発明に係るプラグインユニットの実施の形態１のユニットが筐体に実装されて、一方向押圧保持部材で固定された状態を前面から見た概略外観図である。図１及び図２と同一符号は同一又は相当部分を示すので説明を省略する。
【００１６】
図３の左側には、ユニット１２−１の背外面に隣接する第１の側外面である図２に示す側外面１３−１に第１の押圧保持部材である一方向押圧保持部材１４−１が１個設けられており、このユニット１２−１をプラグイン式に筐体１に実装した場合が示されている。
【００１７】
プラグイン式に実装する具体的な手順を、図１、図２、図３を用いて以下に説明する。  
【００１８】
まず、図２に示すユニット１２−１の背外面の２本の位置決めピン１６を、図１に示すフローティングプレート４ａに設けられた位置決め穴７に差し込む。すると、ユニット１２−１のコネクタプラグ１５とフローティングプレート４ａに固定されたコネクタレセプタクル６は接続可能に位置決めされるので、そのまま押し込んで接続する。
【００１９】
次に、第１の押圧保持部材である一方向押圧保持部材１４−１を水平方向に拡張させて、第１の側外面である側外面１３−１と対向する筐体１の側面内壁である右面内壁２−１を一方向押圧保持部材１４−１が押圧するようにすると、その反作用として、側外面１３−１と反対側の第２の側外面である側外面１３−２は、側外面１３−２が対向する筐体１の側面内壁である左面内壁２−２と圧接することとなる。
【００２０】
したがって、ユニット１２−１の内部の発熱部品から発生した熱は、側外面１３−２から筐体１の左面内壁２−２に熱伝導により効率良く放熱される。その際、一方向押圧保持部材１４−１の水平方向への拡張によって、ユニット１２−１は左方向に幾らか移動することとなるが、コネクタレセプタクル６はバックパネル３ａに浮動自在に装着されたフローティングプレート４ａに固定されているので、フローティングプレート４ａとともに移動することが可能で、コネクタプラグ１５とコネクタレセプタクル６の接続箇所にストレスが加わることが無い。
【００２１】
図３の右側には、ユニット１２−２の背外面に隣接する第１の側外面である側外面１３−１に第１の押圧保持部材である一方向押圧保持部材１４−１を設けると同時に、第１の側外面に隣接する第３の側外面である側外面１３−３にも第２の押圧保持部材である一方向押圧保持部材１４−２を設けて、ユニット１２−２をプラグイン式に筐体１に実装した場合が示されている。
【００２２】
この場合のプラグイン式に実装する具体的な手順としては、まず、ユニット１２−２の背外面の２本の位置決めピン１６を用いて、コネクタプラグ１５とコネクタレセプタクル６を接続するところは上記のユニット１２−１の場合と同様である。
【００２３】
次に、第１の押圧保持部材である一方向押圧保持部材１４−１と第２の押圧保持部材である一方向押圧保持部材１４−２をそれぞれ交互に少しずつ水平方向ないしは垂直方向に拡張させて、側外面１３−１と対向する筐体１の右面内壁２−１を一方向押圧保持部材１４−１が押圧するようにするとともに、第３の側外面である側外面１３−３と対向する筐体１の側面内壁である上面内壁２−３を一方向押圧保持部材１４−２が押圧するようにすると、その反作用として、側外面１３−２が左面内壁２−２と圧接するとともに、側外面１３−３と反対側の第４の側外面である側外面１３−４が対向する筐体１の側面内壁である底面内壁２−４と圧接することとなる。
【００２４】
したがって、ユニット１２−２の内部の発熱部品から発生した熱は、側外面１３−２から左面内壁２−２への熱伝導と側外面１３−４から底面内壁２−４への熱伝導の両方で、ユニット１２−１の場合よりもさらに効率良く放熱することが可能となる。その際、コネクタプラグ１５とコネクタレセプタクル６の接続にストレスが加わることが無い点はユニット１２−１の場合と同様である。
【００２５】
ただし、ユニット１２−１の場合は、一つの一方向押圧保持部材１４−１のみを水平方向に拡張させるだけなのに対して、ユニット１２−２の場合は、一方向押圧保持部材１４−１を水平方向に、かつ、一方向保持部材１４−２を垂直方向に、同時に拡張させる必要があり、もし、片方のみに偏って拡張させてしまうと、もう一方を拡張させることが困難となって、片方の圧接力が不十分となって期待ほどの放熱性を得られないこととなるため、手間はかかるが、すこしずつ互い違いに拡張させる点は重要である。
【００２６】
図４は、この発明に係るプラグインユニットの実施の形態１の一方向押圧保持部材１４−１及び１４−２の一例の構造を詳細に示した部品構成図である。
【００２７】
一方向押圧保持部材１４−１及び１４−２は、一端に傾斜面を有する前面側くさび１７−１と、両端に傾斜面を有する部材本体１８−１ａと、一端に傾斜面を有する後面側くさび１９−１ａと、これらの３つの部品を貫通して一体化させるシャフト２０−１ａから構成されている。この後面側くさび１９−１ａの他端にはメネジ部１９−１ｂが、さらに、このシャフト２０−１ａにはオネジ部２０−１ｂがそれぞれ設けられており、シャフト２０−１ａがこれらの３つの部品を貫通し、オネジ部２０−１ｂがメネジ部１９−１ｂに螺合して一体化されるようになっている。
【００２８】
さらに、部材本体断面１８−１ｂに示されているように、部材本体１８−１ａには切り欠き１８−１ｃが設けられており、ねじであるシャフト２０−１ａを締め込んでいくと、前面側くさび１７−１の傾斜面及び後面側くさび１９−１ａの傾斜面が、部材本体１８−１ａの両端の傾斜面と摺動して、一方向押圧保持部材１４−１及び１４−２は、切り欠き１８−１ｃの長手の方向に拡張するように動作する。
【００２９】
一方向押圧保持部材１４−１ないしは１４−２の一例は、以上のような構造を有しているので、図３に示したプラグインユニットにおいて、前面側から、一方向押圧保持部材１４−１ないしは１４−２のシャフト２０−１ａを締め込むことにより、ユニット１２−１ないしはユニット１２−２の側外面が筐体１の側面内壁に圧接されることとなる。
【００３０】
したがって、筐体の前面からユニットをプラグイン式に実装し、筐体の前面側からの作業で、一方向押圧保持部材のねじであるシャフトを締め込むことで一方向押圧保持部材の幅を一方向に拡張させ、前記ユニットの側外面を筐体の側面内壁に圧接させて効率良く放熱するとともに、その際、コネクタプラグとコネクタレセプタクルとの接続にはストレスが加わることが無いので、実装作業の作業性が極めて良好で、効率良い放熱性も確保され、コネクタの接続信頼性の高いプラグインユニットを実現できるという効果がある。
【００３１】
なお、一方向押圧保持部材として、図４に示した構造に関わらずに、一方向に拡張するという機能を有するものであれば、効率良い放熱性が確保され、コネクタの接続信頼性の高いプラグインユニットを実現できることは言うまでもない。
【００３２】
以上のように、この発明に係るプラグインユニットの実施の形態１では、ユニットの背外面にコネクタプラグと位置決めピンを装着し、前記背外面に隣接する第１の側外面にねじを締め込むことで幅が一方向に拡張する第１の押圧保持部材を固定し、筐体の裏面側に設けられたバックパネルに浮動自在にフローティングプレートを装着し、そのフローティングプレートにコネクタレセプタクルと位置決め穴を設けるように構成したので、効率良い放熱性が確保され、かつ、コネクタの接続信頼性の高いプラグインユニットを実現できる。
【００３３】
また、上記に加えて、さらに、ユニットの第１の側外面に隣接する第３の側外面に、第２の押圧保持部材を固定することようにしたので、ユニットの側外面と筐体の側面内壁の圧接面積が増加し、さらに放熱性が向上した上で、コネクタの接続信頼性の高いプラグインユニットを実現できる。
【００３４】
実施の形態２．
この発明に係るプラグインユニットの実施の形態１では、ねじを締め込むことで幅が一方向に拡張する押圧保持部材を用いた場合について示したが、２つの一方向押圧保持部材をユニットに固定する代わりに、押圧保持部材が二方向に拡張可能な二方向押圧保持部材をユニットの背外面に隣接する側外面が互いに隣接する４つの隣接位置の内、いずれか１つである、第１のユニット隣接位置に固定するようにすれば、２つのねじをすこしずつ互い違いに締め込むという手間のかかる作業を行うことなしに、単に１つのねじを締め込んでいくという簡単な作業で、放熱性が高く、コネクタの接続信頼性の高いプラグインユニットを実現できる。
【００３５】
図５は、この発明に係るプラグインユニットの実施の形態２のユニットが筐体に実装されて、二方向押圧保持部材で固定された状態を前面から見た概略外観図である。図１と同一符号は同一又は相当部分を示すので説明を省略する。
【００３６】
ユニット１２−３の背外面に、コネクタプラグ１５と２本の位置決めピン１６が装着されている点は、実施の形態１にて説明したユニット１２−１やユニット１２−２と同様である。ユニット１２−３の場合は、押圧保持部材として、一方向押圧保持部材に代えて、二方向押圧保持部材が、ユニット１２−３の背外面に隣接する側外面が互いに隣接する４つの隣接位置の内の、第１のユニット隣接位置である右上の位置に固定されており、この二方向押圧保持部材２１は、ねじを締め込むことで幅が水平方向と垂直方向の二方向に拡張するように構成されている。このユニット１２−３をプラグイン式に筐体１に実装した場合が図５に示されている。
【００３７】
この場合のプラグイン式に実装する手順としては、まず、図５に示すユニット１２−３の背外面の２本の位置決めピン１６を用いて、コネクタプラグ１５とコネクタレセプタクル６を接続するところは実施の形態１にて説明したユニット１２−１やユニット１２−２の場合と同様である。
【００３８】
次に、ユニット１２−３の第１のユニット隣接位置である右上の位置に固定された二方向押圧保持部材２１を水平方向と垂直方向の二方向に拡張させて、第１のユニット隣接位置と隣接する側外面のそれぞれが対向する筐体１の側面内壁を押圧するようにすると、その反作用として、第１のユニット隣接位置と対角的に反対側の第２のユニット隣接位置と隣接する２つの側外面のそれぞれが対向する筐体１の側面内壁と圧接することとなる。
【００３９】
したがって、ユニット１２−３の内部の発熱部品から発生した熱は、２つの側外面からそれぞれ対向する側面内壁を介して、熱伝導により効率良く放熱することが可能となる。その際、コネクタプラグ１５とコネクタレセプタクル６の接続にストレスが加わることが無い点は実施の形態１で説明したユニット１２−１やユニット１２−３の場合と同様である。
【００４０】
図６は、この発明に係るプラグインユニットの実施の形態２の二方向押圧保持部材２１の一例の構造を詳細に示した部品構成と組立外観を示す図である。
【００４１】
二方向押圧保持部材２１は、一端に傾斜面を有する前面側くさび１７−２ａと、両端に傾斜面を有する部材本体１８−２ａと、一端に傾斜面を有する後面側くさび１９−２ａと、これらの３つの部品を貫通して一体化させるシャフト２０−２ａから構成されている。
【００４２】
この部材本体１８−２ａの両端の傾斜面は、図６に示すように、その傾斜方向が互いに９０°回転して設けられている。また、後面側くさび１９−２ａの傾斜面と反対側の他端にはメネジ部１９−２ｂが、さらに、シャフト２０−２ａにはオネジ部２０−２ｂがそれぞれ設けられており、シャフト２０−２ａがこれらの３つの部品を貫通し、オネジ部２０−２ｂがメネジ部１９−２ｂに螺合して、図６の上部に示す組立外観のように、一体化される。
【００４３】
さらに、図６に示した部材本体断面１８−２ｂを見ると明らかなように、部材本体１８−２ａには矩形断面の対角線方向となる４５°の切り欠き１８−２ｃが設けられており、ねじであるシャフト２０−２ａを締め込んでいくと、前面側くさび１７−２ａの傾斜面及び後面側くさび１９−２ａの傾斜面が、部材本体１８−１ａの両端の傾斜面と摺動して、二方向押圧保持部材２１は、互いに直交する二方向に拡張するように動作する。
【００４４】
その際、図６の前面側くさび断面１７−２ｂ及び後面側くさび断面１９−２ｃに記載の寸法の一例から明らかなように、前面側くさび１７−２ａの外形寸法は、シャフト２０−２ａを挿入する穴から筐体１の側面内壁と接触することとなる上外面（前面側くさび断面１７−２ｂの上の辺に対応）までの長さが、後面側くさび１９−２ａのシャフト２０−２ａを挿入する穴から後面側くさび１９−２ａの上外面（後面側くさび断面１９−２ｃの上の辺に対応）までの長さより若干短くできている。また、後面側くさび１９−２ａの外形寸法は、シャフト２０−２ａを挿入する穴から筐体１の側面内壁と接触することとなる左外面（後面側くさび断面１９−２ｃの左の辺に対応）までの長さが、前面側くさび１７−２ａのシャフト２０−２ａを挿入する穴から前面側くさび１７−２ａの左外面（前面側くさび断面１７−２ｂの左の辺に対応）までの長さより若干短くできている。
【００４５】
なお、図７は、二方向押圧保持部材２１の外観図であり、図７（ａ）が前面側から見た前面外観図であり、図７（ｂ）が上面側から見た上面外観図であり、図７（ｃ）が側面側から見た側面外観図である。
【００４６】
したがって、二方向押圧保持部材２１は、ねじであるシャフト２０−２ａを締め込んでいくと、図７（ａ）において、水平方向には、後面側くさび１９−２ａと部材本体１８−２ａがそれぞれの傾斜面を摺動することで、後面側くさび１９−２ａの側面と部材本体１８−２ａの側面の間隔が拡張し、垂直方向には、前面側くさび１７−２ａと部材本体１８−２ａがそれぞれの傾斜面を摺動することで、前面側くさび１７−２ａの上面と部材本体１８−２ａの下面の間隔が拡張する。
【００４７】
図８は、上記のように構成された二方向押圧保持部材２１の部材本体１８−２ａの部分が固定されたユニット１２−３を、筐体１にプラグイン式に実装した状態を斜め後方から見た概略外観図である。図１、図２、及び図５と同一符号は同一又は相当部分を示すので説明を省略する。
【００４８】
図８ないしは図５に示すように、ユニット１２−３をプラグイン式に筐体１に実装し、二方向押圧部材２１のねじであるシャフト２０−２ａを締め込んでいくと、その際、図６での断面の説明でも述べ、かつ、図７（ｂ）からも明らかなように、水平方向への拡張においては、拡張幅の長い後面側くさび１９−２ａの右外面のみが筐体１の側面内壁と圧接し、図７（ｃ）から明らかなように、垂直方向への拡張においては、拡張幅の長い前面側くさび１７−２ａの上外面のみが筐体１の側面内壁と圧接することとなる。
【００４９】
言い換えれば、前面側くさび１７−２ａと後面側くさび１９−２ａが共に水平方向ないしは垂直方向のどちらか同じ方向に筐体１の側面内壁と圧接するのを防ぐように構成されている。
【００５０】
二方向押圧保持部材２１は、以上のように構成されているので、２つのねじをすこしずつ互い違いに締め込むという手間のかかる作業を行うことなしに、単に１つのねじを締め込んでいくという簡単な作業で、ユニットと側外面と筐体の側面内壁との２つの接触面での圧接がどちらか一方に片寄ってしまうことがなく、その結果、高い放熱性を確保した上で、コネクタの接続信頼性の高いプラグインユニットを実現できる。
【００５１】
実施の形態３．
実施の形態１及び実施の形態２のプラグインユニットでは、フローティングプレートが筐体の裏面側に設けられたバックパネルに浮動自在に装着されている場合を示したが、フローティングプレートをユニットに浮動自在に装着するようにしても良い。なお、ユニット内の耐湿性確保のためにユニットを気密構造とする必要が有る場合には、フローティングプレートをユニットに装着する際に、金属ベローズやゴムシールのような可撓性のあるシール材を実施の形態３の構造にさらに付加すれば実現可能である。
【００５２】
図９は、この発明に係るプラグインユニットの実施の形態３のユニットが筐体にプラグイン式に実装された状態を示す概略構成図である。図１及び図２と同一符号は同一又は相当部分を示すので説明を省略する。
【００５３】
発熱部品を内部に有するユニット１２−４の背外面には、フローティングプレート４ｂが浮動自在に装着されている。さらに、そのフローティングプレート４ｂには、コネクタプラグ１５が固定されるとともに、２つの位置決め穴７が設けられている。フローティングプレート４ｂのフローティング機構については、図１（ｃ）を用いて説明した内容と同様である。
【００５４】
一方、筐体１の裏面側に設けられたバックパネル３ｂには、コネクタレセプタクル６と２本の位置決めピン１６が装着されている。
【００５５】
上記の構成において、ユニット１２−４の側外面に、実施の形態１にて説明した一方向押圧保持部材を１つないしは２つ固定するか、又は、実施の形態２にて説明した二方向押圧保持部材を固定することにより、実施の形態１や実施の形態２で説明したのと同様に、ユニット１２−４の側外面が筐体１の側面内壁に圧接されて効率良く放熱されるとともに、その際、コネクタプラグとコネクタレセプタクルとの接続にはストレスが加わることが無いので、効率良い放熱性も確保され、コネクタの接続信頼性の高いプラグインユニットを実現できるという効果がある。
【図面の簡単な説明】
【００５６】
【図１】この発明に係るプラグインユニットの実施の形態１の筐体の概略構成図である。
【図２】この発明に係るプラグインユニットの実施の形態１のユニットの概略構成図である。
【図３】この発明に係るプラグインユニットの実施の形態１のユニットが筐体に実装されて、一方向押圧保持部材で固定された状態を前面から見た概略外観図である。
【図４】この発明に係るプラグインユニットの実施の形態１の一方向押圧保持部材の部品構成図である。
【図５】この発明に係るプラグインユニットの実施の形態２のユニットが筐体に実装されて、二方向押圧保持部材で固定された状態を前面から見た概略外観図である。
【図６】この発明に係るプラグインユニットの実施の形態２の二方向押圧保持部材の部品構成と組立外観を示す図である。
【図７】この発明に係るプラグインユニットの実施の形態２の二方向押圧保持部材の前面側と上面側と側面側から見た外観図である。
【図８】この発明に係るプラグインユニットの実施の形態２のユニットが筐体に実装されて、二方向押圧保持部材で固定された状態を斜め後方から見た概略外観図である。
【図９】この発明に係るプラグインユニットの実施の形態３のユニットが筐体にプラグイン式に実装された状態を示す概略構成図である。
【符号の説明】
【００５７】
１  筐体
２−１  右面内壁（側面内壁）
２−２  左面内壁（側面内壁）
２−３  上面内壁（側面内壁）
２−４  底面内壁（側面内壁）
３ａ  バックパネル
３ｂ  バックパネル
４ａ  フローティングプレート
４ｂ  フローティングプレート
６  コネクタレセプタクル
７  位置決め穴
１２−１  ユニット
１２−２  ユニット
１２−３  ユニット
１２−４  ユニット
１３−１  側外面
１３−２  側外面
１３−３  側外面
１３−４  側外面
１４−１  一方向押圧保持部材
１４−２  一方向押圧保持部材
１５  コネクタプラグ
１６  位置決めピン
１７−１ａ  前面側くさび
１７−２ａ  前面側くさび
１８−１ａ  部材本体
１８−２ａ  部材本体
１９−１ａ  後面側くさび
１９−２ａ  後面側くさび
２１  二方向押圧保持部材
【図１】
2007173653.tif 000003
【図２】
2007173653.tif 000004
【図３】
2007173653.tif 000005
【図４】
2007173653.tif 000006
【図５】
2007173653.tif 000007
【図６】
2007173653.tif 000008
【図７】
2007173653.tif 000009
【図８】
2007173653.tif 000010
【図９】
2007173653.tif 000011